(57)【特許請求の範囲】
【請求項１】
複数のコマ画像を高速コマ送りで表示する高速コマ送り表示を行なうための高速コマ送り表示操作、及び前記高速コマ送りを停止するための停止操作が行なわれる操作手段と、
前記高速コマ送り表示操作が行なわれたときに、予め定められたコマ送り順で複数のコマ画像が表示手段に表示されるように制御する第１の制御と、前記停止操作が行なわれたときに、前記高速コマ送りを停止し、前記コマ送り順と逆のコマ送り順で且つ前記高速コマ送りの速度より遅い速度で、表示されたコマ画像が１コマずつ再度表示されるように制御する第２の制御と、コマ送り中はコマ送りの方向及びコマ送りの速度の少なくとも一方を表す画像が表示されるように制御する第３の制御と、前記停止操作が行なわれたときに、表示されていた画像が縮小して表示されるように制御する第４の制御と、前記停止操作が行なわれたあとに、前記逆のコマ送りを停止するための操作が行なわれるのに応じて、前記逆のコマ送りを停止するように制御する第５の制御と、を行う制御手段と、
を含む画像表示装置。
【請求項２】
前記複数のコマ画像は、撮像された複数の静止画像である請求項１に記載の画像表示装置。
【請求項３】
前記制御手段は、再度高速コマ送り表示操作が行なわれたときに、前記停止操作が行なわれたときに表示されていた画像から再度前記高速コマ送り表示が行なわれるように第６の制御を行う請求項１又は請求項２に記載の画像表示装置。
【請求項４】
前記逆のコマ送り順でコマ送りを行っている間は、前記コマ送りの方向及びコマ送りの速度の少なくとも一方を表す画像を、前記高速コマ送りの場合とは異なる色で表示する又はブリンク表示する請求項１から請求項３までのいずれか１項に記載の画像表示装置。
【請求項５】
コンピュータに、
操作手段に対して複数のコマ画像を高速コマ送りで表示する高速コマ送り表示を行なうための高速コマ送り表示操作が行なわれたときに、予め定められたコマ送り順で複数のコマ画像が表示手段に表示されるように制御するステップと、
操作手段に対して前記高速コマ送りを停止するための停止操作が行なわれたときに、前記高速コマ送りを停止し、前記コマ送り順と逆のコマ送り順で且つ前記高速コマ送りの速度より遅い速度で、表示されたコマ画像が１コマずつ再度表示されるように制御するステップと、
コマ送り中はコマ送りの方向及びコマ送りの速度の少なくとも一方を表す画像が表示されるように制御するステップと、
前記停止操作が行なわれたときに、表示されていた画像が縮小して表示されるように制御するステップと、
前記停止操作が行なわれたあとに、前記逆のコマ送りを停止するための操作が行なわれるのに応じて、前記逆のコマ送りを停止するように制御するステップと、
を実行させるためのプログラム。
【請求項６】
請求項１から請求項４までのいずれか１項に記載の画像表示装置を含む撮像装置。
【発明の詳細な説明】
【技術分野】
【０００１】
本発明は、画像を表示する画像表示装置、プログラム、及び画像を表示する機能を備えた撮像装置に関する。
【背景技術】
【０００２】
従来より、撮像した画像の表示ができる液晶ディスプレイ等の表示手段を備えたデジタルカメラが知られている。
【０００３】
また、撮像した静止画像の各々を高速コマ送りで表示する高速コマ送り表示、撮像した動画像の早送り表示、及び撮像した動画像の巻戻し表示を液晶ディスプレイ等の表示手段にさせる機能を備えたデジタルカメラも知られている。
【０００４】
例えば特許文献１には、タッチパネル上の操作者の指先によるなぞり操作の方向及び速度を判断し、なぞり操作の方向及び速度に応じて液晶ディスプレイに動画像の早送り表示、巻戻し表示の各々をさせるデジタルカメラが提案されている。
【特許文献１】特開２００４−１０４５９４公報
【発明の開示】
【発明が解決しようとする課題】
【０００５】
しかしながら、前記特許文献１に記載された技術において、早送り表示又は巻戻し表示が行なわれているときに、所望の画像で一時停止させて所望の画像を表示させることは難しく、所望の画像とは異なる画像で一時停止した場合は、所望の画像が表示されるように手動の操作が必要だった。
【０００６】
本発明は、高速コマ送りを行った場合に、所望のコマ画像でコマ送りを停止させる操作の操作性を向上させる画像表示装置、プログラム、及び画像を表示する機能を備えた撮像装置を提供することを目的とする。
【課題を解決するための手段】
【０００７】
上記目的を達成するために、第１の発明の画像表示装置は、複数のコマ画像を高速コマ送りで表示する高速コマ送り表示を行なうための高速コマ送り表示操作、及び前記高速コマ送りを停止するための停止操作が行なわれる操作手段と、前記高速コマ送り表示操作が行なわれたときに、予め定められたコマ送り順で複数のコマ画像が表示手段に表示されるように制御する第１の制御と、前記停止操作が行なわれたときに、前記高速コマ送りを停止し、前記コマ送り順と逆のコマ送り順で且つ前記高速コマ送りの速度より遅い速度で、表示されたコマ画像が１コマずつ再度表示されるように制御する第２の制御と、コマ送り中はコマ送りの方向及びコマ送りの速度の少なくとも一方を表す画像が表示されるように制御する第３の制御と、前記停止操作が行なわれたときに、表示されていた画像が縮小して表示されるように制御する第４の制御と、前記停止操作が行なわれたあとに、前記逆のコマ送りを停止するための操作が行なわれるのに応じて、前記逆のコマ送りを停止するように制御する第５の制御と、を行う制御手段と、を含んでいる。
【０００８】
第１の発明によれば、操作手段に対して複数のコマ画像を高速コマ送りで表示する高速コマ送り表示を行なうための高速コマ送り表示操作が行なわれたときに、予め定められたコマ送り順で複数のコマ画像が表示手段に表示されるように制御する。また、操作手段に対して高速コマ送りを停止するための停止操作が行なわれる停止操作が行なわれたときに、高速コマ送りを停止し、コマ送り順と逆のコマ送りで、表示されたコマ画像が再度表示されるように制御する。
【０００９】
逆のコマ送りの速度を前記高速コマ送りの速度より遅くするとよい。
【００１０】
制御手段は、停止操作が行なわれたあとに、逆のコマ送りを停止するための操作が行なわれるのに応じて、逆のコマ送りを停止するように制御するとよい。
【００１１】
また、制御手段は、コマ送りの方向及びコマ送りの速度の少なくとも一方を表す画像が表示されるように制御するとよい。これにより、高速コマ送りがされているのか、逆のコマ送りがされているのかを容易に視認できる。
【００１２】
さらに、制御手段は、停止操作が行なわれたときに表示されていた画像が縮小して表示されるように制御するとよい。
【００１３】
第２の発明の画像表示装置は、複数のコマ画像を高速コマ送りで表示する高速コマ送り表示を行なうための高速コマ送り表示操作、及び前記高速コマ送りを停止するための停止操作が行なわれる操作手段と、前記高速コマ送り表示操作が行なわれたときに、予め定められたコマ送り順で複数のコマ画像が表示手段に表示されるように制御すると共に、前記停止操作が行なわれたときに、前記高速コマ送りを停止し、表示されていた画像が縮小して表示されるように制御する制御手段と、を含んでいる。
【００１４】
第２の発明によれば、操作手段に対して複数のコマ画像を高速コマ送りで表示する高速コマ送り表示を行なうための高速コマ送り表示操作が行なわれたときに、予め定められたコマ送り順で複数のコマ画像が表示手段に表示されるように制御する。また、操作手段に対して高速コマ送りを停止するための停止操作が行なわれたときに、高速コマ送りを停止し、表示されていた画像が縮小して表示されるように制御する。
【００１５】
制御手段は、停止操作が行なわれたあとに、１コマずつコマ画像を送る操作が行なわれるのに応じて、コマ送り順と逆の順で、表示されたコマ画像が１コマずつ再度表示されるように制御するとよい。
【００１６】
また、制御手段は、再度高速コマ送り表示操作が行なわれたときに、停止操作が行なわれたときに表示されていた画像から再度高速コマ送り表示が行なわれるように制御するとよい。これにより、例えば誤って停止操作をした場合に、容易に高速コマ送り表示を再開することができる。
【００１７】
第３の発明のプログラムは、コンピュータに、操作手段に対して複数のコマ画像を高速コマ送りで表示する高速コマ送り表示を行なうための高速コマ送り表示操作が行なわれたときに、予め定められたコマ送り順で複数のコマ画像が表示手段に表示されるように制御するステップと、操作手段に対して前記高速コマ送りを停止するための停止操作が行なわれたときに、前記高速コマ送りを停止し、前記コマ送り順と逆のコマ送りで、表示されたコマ画像が再度表示されるように制御するステップと、を実行させる。
【００１８】
第４の発明のプログラムは、コンピュータに、操作手段に対して複数のコマ画像を高速コマ送りで表示する高速コマ送り表示を行なうための高速コマ送り表示操作が行なわれたときに、予め定められたコマ送り順で複数のコマ画像が表示手段に表示されるように制御するステップと、操作手段に対して前記高速コマ送りを停止するための停止操作が行なわれたときに、前記高速コマ送りを停止し、表示されていた画像が縮小して表示されるように制御するステップと、を実行させる。
【００１９】
第５の発明の撮像装置は、前記請求項１〜請求項８の何れか１項に記載の画像表示装置を含んでいる。
【００２０】
このように、第１の発明、第３の発明、及び第５の発明は、高速コマ送り表示が所望の画像で停止されなかった場合に、手動の操作の手間を抑えて所望の画像を表示できる、という優れた効果を有する。
【００２１】
また、第２の発明、第４の発明、及び第５の発明は、高速コマ送りを行った場合に、所望のコマ画像でコマ送りを停止させる操作の操作性を向上させる、という優れた効果を有する。
【発明の効果】
【００２２】
以上説明したように、第１の発明、第３の発明、及び第５の発明は、高速コマ送り表示が所望の画像で停止されなかった場合に、手動の操作の手間を抑えて所望の画像を表示できる、という優れた効果を有する。
【００２３】
また、第２の発明、第４の発明、及び第５の発明は、高速コマ送りを行って、高速コマ送りを停止した場合に、所望のコマ画像でコマ送りを停止させる操作の操作性を向上させる、という優れた効果を有する。
【発明を実施するための最良の形態】
【００２４】
以下、図面を参照して、本発明の実施の形態について詳細に説明する。
（第１の実施の形態）
まず、図１を参照して第１の実施の形態に係るデジタルカメラ１０の外観上の構成を説明する。
【００２５】
なお、本実施の形態では、本発明を静止画像及び動画像の双方の撮像を行う機能を有するデジタルカメラに適用した場合について説明する。
【００２６】
図１（Ａ）に図示されるように、デジタルカメラ１０の正面には、被写体像を結像させるためのレンズ１２、撮像する被写体の構図を決定するために用いられるファインダ１４、及び撮像時に必要に応じて被写体に照射する光（撮像補助光）を発する発光部１６が設けられている。
【００２７】
図１（Ｂ）に図示されるように、デジタルカメラ１０の上面には、撮像を実行する際に押圧操作されるレリーズボタン（所謂シャッター）１８Ａと、デジタルカメラ１０の電源をオン状態又はオフ状態に切り替えるための電源スイッチ１８Ｂと、モード切替スイッチ１８Ｃと、が設けられている。
【００２８】
レリーズボタン１８Ａは、中間位置まで押下される状態（以下、「半押し状態」という。）と、中間位置を超えた最終押下位置まで押下される状態（以下、「全押し状態」という。）との２段階の押圧操作が検出可能に構成されている。デジタルカメラ１０は、レリーズボタン１８Ａを半押し状態にされることによりＡＥ（Ａｕｔｏｍａｔｉｃ  Ｅｘｐｏｓｕｒｅ、自動露出）機能が働いて露出状態（シャッタースピード、絞りの状態）を設定すると共に、ＡＦ（Ａｕｔｏ  Ｆｏｃｕｓ、自動合焦）機能が働いて合焦制御する。その後、引き続いてレリーズボタン１８Ａを全押し状態にされることにより、露光（撮像）を行う。
【００２９】
モード切替スイッチ１８Ｃは、静止画像の撮像を行うモードである静止画撮像モード、動画像の撮像を行うモードである動画撮像モード、及び撮像した静止画及び動画像を後述する液晶ディスプレイ２０に表示するモードである表示モードの何れかのモードに設定する際に回転操作される。
【００３０】
図１（Ｃ）に図示されるように、デジタルカメラ１０の背面には、上記のファインダ１４の接眼部と、撮像された被写体像やメニュー画面等を表示するための液晶ディスプレイ（以下、「ＬＣＤ」という。）２０、及び十字カーソルボタン１８Ｄが設けられている。十字カーソルボタン１８Ｄは、４つの矢印ボタンを含んで構成されている。十字カーソルボタン１８Ｄは、静止画像を表示しているときに右の矢印ボタンが押圧操作されると予め定められたコマ送り順の次の静止画像が表示される。また、静止画像を表示しているときに左の矢印ボタンが押圧操作されると、コマ送り順の前の静止画像が表示される。さらに、静止画像を表示しているときに右の矢印ボタンの長押しされると、静止画像はコマ送り順で高速コマ送りで表示される。また、静止画像を表示しているときに左の矢印ボタンの長押しされると、静止画像はコマ送り順の逆順の逆高速コマ送りで表示される。一方、動画像を表示しているときに右の矢印ボタンの長押しされると、動画像は早送り再生される。また、動画像を表示しているときに左の矢印ボタンの長押しされると、動画像は巻戻し再生される。さらに、十字カーソルボタン１８Ｄの４つの矢印ボタンの操作により、ＬＣＤ２０の表示領域における上・下・左・右の４方向の移動方向の入力、再生画像のコマ送りの指示の入力等が行われる。
【００３１】
また、デジタルカメラ１０の背面には、十字カーソルボタン１８Ｄの操作内容を確定するときに押圧操作される決定ボタン１８Ｅが設けられている。
【００３２】
さらに、デジタルカメラ１０の背面には、ＬＣＤ２０にメニュー画面を表示させるときに押圧操作されるメニューボタン１８Ｆと、直前の操作内容をキャンセルするときに押圧操作されるキャンセルボタン１８Ｇと、発光部１６の発光状態を設定するときに押圧操作される発光ボタン１８Ｈとが設けられている。
【００３３】
次に、図２を参照して、本実施の形態に係るデジタルカメラ１０の電気系の要部構成を説明する。
【００３４】
デジタルカメラ１０は、デジタルカメラ１０全体の動作を司るＣＰＵ（中央処理装置）２２が設けられている。
【００３５】
また、デジタルカメラ１０は、上記のレンズ１２、焦点調整モータ、ズームモータ、及び絞り駆動モータを含んで構成された光学ユニット２４を備えている。レンズ１２は複数枚のレンズを有し、焦点調整モータ、ズームモータ、及び絞り駆動モータにより焦点距離の変更（変倍）が可能なズームレンズとして構成されている。焦点調整モータ、ズームモータ、及び絞り駆動モータは、ＣＰＵ２２の制御によりモータ駆動部２６から供給される駆動信号により駆動される。なお、ズームモータの駆動は、十字カーソルボタン１８Ｄの操作により行なわれる。
【００３６】
レンズ１２の光軸後方には、電荷結合素子（以下「ＣＣＤ」とよぶ）２８が配設されている。デジタルカメラ１０は、主としてＣＣＤ２８を駆動させるためのタイミング信号を生成してＣＣＤ２８に供給するタイミングジェネレータ３０を備えており、ＣＣＤ２８はＣＰＵ２２の制御よりタイミングジェネレータ３０から供給されるタイミング信号により駆動される。
【００３７】
ＣＣＤ２８の出力端は入力されたアナログ信号に対して各種のアナログ信号処理を行うアナログ信号処理部３２の入力端に接続されている。また、アナログ信号処理部３２の出力端は入力されたアナログ信号をデジタルデータに変換するアナログ／デジタル変換器（以下、「ＡＤＣ」という。）３４の入力端に接続されている。
【００３８】
また、デジタルカメラ１０は、入力されたデジタルデータに対して各種のデジタル信号処理を行うデジタル信号処理部３６を備えている。デジタル信号処理部３６は、所定容量のラインバッファを内蔵し、入力されたデジタルデータを後述するメモリ４０の所定領域に直接記憶させる制御も行う。
【００３９】
ＡＤＣ３４によってデジタル画像データに変換されたデータは、デジタル信号処理部３６に入力される。
【００４０】
さらに、デジタルカメラ１０は、被写体像やメニュー画面等をＬＣＤ２０に表示させるための信号を生成してＬＣＤ２０に供給するＬＣＤインタフェース３８、撮像により得られたデジタル画像データ等を記憶するメモリ４０、メモリ４０に対するアクセスの制御を行うメモリインタフェース４２、可搬型のメモリカード４４をデジタルカメラ１０にアクセス可能とするための外部メモリインタフェース４６、及びデジタル画像データに対する圧縮処理及び伸張処理を行う圧縮・伸張処理回路４８を含んで構成されている。
【００４１】
なお、本実施の形態のデジタルカメラ１０は、メモリ４０としてフラッシュ・メモリ（Ｆｌａｓｈ  Ｍｅｍｏｒｙ）を用い、メモリカード４４としてスマートメディア（Ｓｍａｒｔ  Ｍｅｄｉａ（登録商標））を用いる。
【００４２】
ＣＰＵ２２、デジタル信号処理部３６、ＬＣＤインタフェース３８、メモリインタフェース４２、外部メモリインタフェース４６、及び圧縮・伸張処理回路４８はシステムバスを介して相互に接続されている。ＣＰＵ２２は、デジタル信号処理部３６及び圧縮・伸張処理回路４８の作動の制御、ＬＣＤ２０に対するＬＣＤインタフェース３８を介した各種情報の表示、メモリ４０へのメモリインタフェース４２を介したアクセス、及びメモリカード４４への外部メモリインタフェース４６を介したアクセスのを各々行う。
【００４３】
また、上記のレリーズボタン１８Ａ、電源スイッチ１８Ｂ、モード切替スイッチ１８Ｃ、十字カーソルボタン１８Ｄ、決定ボタン１８Ｅ、メニューボタン１８Ｆ、キャンセルボタン１８Ｇ、及び発光ボタン１８Ｈの各種ボタン、スイッチ類（図２では、「操作部１８」と総称する）はＣＰＵ２２に接続されており、ＣＰＵ２２は、操作部１８に対する操作状態を把握している。さらに、上記の発光部１６もＣＰＵ２２に接続されており、発光部１６による撮像補助光の発光はＣＰＵ２２によって制御される。
【００４４】
次に、本実施の形態に係るデジタルカメラ１０の撮像時における全体的な作用について簡単に説明する。
【００４５】
まず、ＣＣＤ２８は、光学ユニット２４を介して被写体の撮像を行い、被写体像を示すＲ（赤）、Ｇ（緑）、Ｂ（青）毎のアナログ信号をアナログ信号処理部３２に順次出力する。アナログ信号処理部３２は、ＣＣＤ２８から入力されたアナログ信号に対して相関二重抽出処理等のアナログ信号処理を施した後にＡＤＣ３４に順次出力する。
【００４６】
ＡＤＣ３４は、アナログ信号処理部３２から入力されたＲ，Ｇ，Ｂ毎のアナログ信号を各々１２ビットのＲ，Ｇ，Ｂのデジタル画像データに変換してデジタル信号処理部３６に順次出力する。デジタル信号処理部３６は、内蔵しているラインバッファにＡＤＣ３４から順次入力されるデジタル画像データを蓄積して、一旦メモリ４０の所定領域に直接格納する。
【００４７】
メモリ４０の所定領域に格納されたデジタル画像データは、ＣＰＵ２２による制御に応じて読み出される。デジタル信号処理部３６は、読み出されたデジタル画像データに所定の物理量に応じたデジタルゲインをかけることでホワイトバランス調整を行うと共に、ガンマ処理及びシャープネス処理を行って８ビットのデジタル画像データを生成する。
【００４８】
そして、デジタル信号処理部３６は、生成した８ビットのデジタル画像データに対しＹＣ信号処理を施して輝度信号Ｙとクロマ信号Ｃｒ、Ｃｂ（以下、「ＹＣ信号」とよぶ）を生成し、ＹＣ信号をメモリ４０の上記所定領域とは異なる領域に格納する。
【００４９】
なお、ＬＣＤ２０は、ＣＣＤ２８による連続的な撮像によって得られたスルー画像を表示してファインダとして使用することができるように構成されている。ＬＣＤ２０をファインダとして使用する場合には、ＣＰＵ２２は、生成されたＹＣ信号を、ＬＣＤインタフェース３８を介して順次ＬＣＤ２０に出力する。これによってＬＣＤ２０にスルー画像が表示される。
【００５０】
静止画撮像モードが設定されている場合、レリーズボタン１８Ａが操作者によって半押し状態とされたタイミングで上記のようにＡＥ機能が働いて露出状態を設定し、ＡＦ機能が働いて合焦制御して、その後、引き続いて全押し状態とされたタイミングで、必要に応じて発光部１６から撮像補助光を射出させると共に、その時点でメモリ４０に格納されているＹＣ信号を、圧縮・伸張処理回路４８によって所定の圧縮形式（本実施の形態では、ＪＰＥＧ形式）で圧縮した後に外部メモリインタフェース４６を介してメモリカード４４に電子化ファイルとして記録する。
【００５１】
一方、動画撮像モードが設定されている場合には、レリーズボタン１８Ａが全押し状態とされたタイミングで、必要に応じて発光部１６から撮像補助光を射出させると共に、その時点からメモリ４０に格納されるＹＣ信号を、所定期間毎に時系列で圧縮・伸張処理回路４８により所定の圧縮形式（本実施の形態では、Ｍｏｔｉｏｎ  ＪＰＥＧ形式）で圧縮した後に外部メモリインタフェース４６を介してメモリカード４４に順次記録していき、再度レリーズボタン１８Ａが全押し状態とされたタイミングで記録動作を終了する。この動作により、動画像を示す動画像データを電子化ファイルとしてメモリカード４４に記録する。
【００５２】
次に、表示モードが設定されている場合、デジタルカメラ１０で実行される静止画像の高速コマ送り表示の処理の流れについて説明する。
【００５３】
図３〜８を参照して、本実施の形態に係るデジタルカメラ１０で実行される静止画像の高速コマ送り表示の処理の流れを説明する。
【００５４】
図３のステップ１００では、十字カーソルボタン１８Ｄがオン状態か否かを判定する。肯定された場合はステップ１０２へ移行し、否定された場合はステップ１００に戻る。
【００５５】
ステップ１０２では、オン状態とされた十字カーソルボタン１８Ｄ矢印の向きを判定する。右と判定された場合はステップ１０４の順方向のコマ送り処理のルーチンへ移行し、左と判定された場合はステップ１０６の逆方向のコマ送り処理のルーチンへ移行する。
【００５６】
次に、図４を参照してコマ送り処理のルーチンを説明する。
【００５７】
ステップ１１０では、十字カーソルボタン１８Ｄのオン状態の時間を計測するタイマ「ＴＯ」をリセットする。
【００５８】
ステップ１１２では、順方向の場合は予め定められたコマ送り順の次の静止画像を表示し、逆方向の場合は予め定められたコマ送り順の前の静止画像を表示する。
【００５９】
ステップ１１４では、十字カーソルボタン１８Ｄのオン状態が継続しているか否かを判定する。肯定された場合はステップ１１６へ移行し、否定された場合は図３のステップ１００へ移行する。
【００６０】
ステップ１１６では、タイマ「ＴＯ」が、長押しされているとみなされる時間「Ｔ１」を超えたか否かを判定する。肯定された場合はステップ１１８へ移行し、否定された場合はステップ１１４に戻る。
【００６１】
ステップ１１８では、十字カーソルボタン１８Ｄのオン状態が継続しているか否か、すなわち十字カーソルボタン１８Ｄが長押しされているか否かを判定する。肯定された場合はステップ１２０へ移行し、否定された場合は図３のステップ１００へ移行する。
【００６２】
ステップ１２０では、順方向の場合は予め定められたコマ送り順の次の静止画像を表示し、逆方向の場合は予め定められたコマ送り順の前の静止画像を表示する。
【００６３】
ステップ１２２では、表示している静止画像の表示時間を計測するタイマ「ＴＦ」をリセットする。
【００６４】
ステップ１２４では、十字カーソルボタン１８Ｄのオン状態が継続しているか否かを判定する。肯定された場合はステップ１２６へ移行し、否定された場合はステップ１２８へ移行する。
【００６５】
ステップ１２６では、タイマ「ＴＦ」が、高速コマ送り表示を行う場合の各静止画像の表示時間「Ｔ２」を超えたか否かを判定する。肯定された場合はステップ１２０へ移行し、否定された場合はステップ１２４に戻る。
【００６６】
ステップ１２８では、表示している静止画像を基準画像として記憶する。
【００６７】
ステップ１２８の次は、図５のステップ１３０又は図７のステップ１５０へ移行する。どちらのステップに移行するかは操作者が選択できる。
【００６８】
図５のステップ１３０では、タイマ「ＴＦ」が予め定められた所定の時間「Ｔ３」を超えたか否かを判定する。肯定された場合はステップ１３２へ移行し、否定された場合はステップ１３８へ移行する。この予め定められた所定の時間は、「Ｔ２」よりも長い期間であり、操作者がコマ送りを停止する操作を操作部１８に対して行なうことができる時間である。
【００６９】
ステップ１３２では、順方向の場合は予め定められたコマ送り順の前の静止画像を表示し、逆方向の場合は予め定められたコマ送り順の次の静止画像を表示する。
【００７０】
ステップ１３４では、基準画像の縮小画像をステップ１３２で表示された静止画像に重ねて表示する。
【００７１】
ステップ１３６では、タイマ「ＴＦ」をリセットする。
【００７２】
ステップ１３８では、十字カーソルボタン１８Ｄの下の矢印ボタンがオフ状態か否かを判定する。肯定された場合はステップ１４０へ移行し、否定された場合はステップ１４４へ移行する。
【００７３】
ステップ１４０では、決定ボタン１８Ｅがオン状態か否かを判定する。肯定された場合はステップ１４２へ移行し、否定された場合はステップ１３０に戻る。
【００７４】
ステップ１４２及びステップ１４４では、基準画像の縮小画像の表示を終了する。
【００７５】
ステップ１４６では、基準画像を表示する。
【００７６】
図６（Ａ）に示されるように、静止画像Ｆ１の表示中に十字カーソルボタン１８Ｄの右の矢印ボタンが長押しされると、静止画像Ｆ１，Ｆ２，Ｆ３，Ｆ４，Ｆ５，Ｆ６，Ｆ７・・・を時間「Ｔ２」の間隔で順に高速コマ送り表示する。静止画像Ｆ７の表示中に十字カーソルボタン１８Ｄの右の矢印ボタンへの操作がなくなると、高速コマ送りを停止し、決定ボタン１８Ｅが押圧操作されるまで、時間「Ｔ３」の間隔でコマ送り順と逆のコマ送りで表示された静止画像を再度表示すると共に、図６（Ｃ）に示されるように、十字カーソルボタン１８Ｄへの操作がなくなったときに表示されていた静止画像の縮小画像ＳＦを表示する。すなわち、静止画像Ｆ６，Ｆ５，Ｆ４を順にコマ送り表示する。逆のコマ送りを行なうときの各静止画像の表示時間は、高速コマ送り表示するときの各静止画像の表示時間よりも長い。
【００７７】
また、本実施の形態では、図６（Ｂ）、（Ｃ）に示されるように、コマ送り中はコマ送りの方向を示す画像Ｍ１，Ｍ２を表示する。
【００７８】
さらに、高速コマ送りが停止され、遅い速度でコマ送りを行っている間は、コマ送りの速度が遅いことを示すように、画像Ｍ１，Ｍ２色を異ならせたり、画像Ｍ１，Ｍ２色をブリンク表示させるとよい。
【００７９】
このように、図５に示されるルーチンでは、高速コマ送りが停止された後、自動的に逆のコマ送りを行なう。これにより、高速コマ送りが所望の画像で停止されなかった場合に、手動の操作の手間を抑えて所望の画像を表示させる。
【００８０】
一方、図７のステップ１５０では、十字カーソルボタン１８Ｄがオン状態か否かを判定する。肯定された場合はステップ１５２へ移行し、否定された場合はステップ１６４へ移行する。
【００８１】
ステップ１５２では、オン状態とされた十字カーソルボタン１８Ｄ矢印の向きがステップ１０２で判定された向きと逆方向か否かを判定する。肯定された場合はステップ１５４へ移行し、否定された場合はステップ１５６へ移行する。
【００８２】
ステップ１５４では、順方向の場合は予め定められたコマ送り順の前の静止画像を表示し、逆方向の場合は予め定められたコマ送り順の次の静止画像を表示する。
【００８３】
ステップ１５６では、順方向の場合は予め定められたコマ送り順の次の静止画像を表示し、逆方向の場合は予め定められたコマ送り順の前の静止画像を表示する。
【００８４】
ステップ１５８では、基準画像の縮小画像をステップ１５４あるいはステップ１５６で表示された静止画像に重ねて表示する。
【００８５】
ステップ１６０では、タイマ「ＴＦ」をリセットする。
【００８６】
ステップ１６２では、十字カーソルボタン１８Ｄの下の矢印ボタンがオフ状態か否かを判定する。肯定された場合はステップ１６４へ移行し、否定された場合はステップ１７０へ移行する。
【００８７】
ステップ１６４では、タイマ「ＴＦ」が予め定められた所定の時間「Ｔ４」以下か否かを判定する。肯定された場合はステップ１６６へ移行し、否定された場合はステップ１６８へ移行する。この予め定められた所定の時間は、操作者がコマ送り操作を中断したとみなす時間である。
【００８８】
ステップ１６６では、決定ボタン１８Ｅがオン状態か否かを判定する。肯定された場合はステップ１６８へ移行し、否定された場合はステップ１５０に戻る。
【００８９】
ステップ１６８及びステップ１７０では、基準画像の縮小画像の表示を終了する。
【００９０】
ステップ１７２では、基準画像を表示する。
【００９１】
このように、図７に示されるルーチンでは、高速コマ送りが停止された後、高速コマ送りが停止されたときに表示されていた静止画像の縮小画像を表示する。これにより、例えば誤って高速コマ送りを停止をした場合に、容易に高速コマ送りを再開することができる。
【００９２】
なお、本実施の形態では静止画像を表示する場合について説明したが、動画像を表示する場合は、各フレームの送り処理を上記のフローチャートに従って行なう。
【００９３】
また、本実施の形態では、十字カーソルボタンの操作で静止画像のコマ送り表示、動画像の早送り表示、及び動画像の巻戻し表示を指示する構成について説明したが、別のボタンの操作により各表示を指示する構成であってもよい。決定ボタンについても同様に、別のボタンに置き換えてもよい。
（第２の実施の形態）
次に、上記のデジタルカメラ１０で実行される静止画像のコマ送り表示、動画像の早送り表示、及び動画像の巻戻し表示の処理をパーソナルコンピュータで実行した場合の一の実施の形態を説明する。
【００９４】
図８は、画像表示装置であるコンピュータ５０の概略構成を示すブロック図である。
【００９５】
コンピュータ５０は、ＣＰＵ（Ｃｅｎｔｒａｌ  Ｐｒｏｃｅｓｓｉｎｇ  Ｕｎｉｔ）５２、ＲＯＭ（Ｒｅａｄ  Ｏｎｌｙ  Ｍｅｍｏｒｙ）５４、ＲＡＭ（Ｒａｎｄｏｍ  Ａｃｃｅｓｓ  Ｍｅｍｏｒｙ）５６、表示部５８、入力デバイス６０、通信部６２、接続ポート６４、読取装置６６、及びＨＤＤ（Ｈａｒｄ  Ｄｉｓｋ  Ｄｒｉｖｅ）６８を含んで構成されており、バスを介して各々が信号授受可能に接続されている。
【００９６】
ＣＰＵ５２は、コンピュータ５０の全体の動作を司るものであり、プログラムに従い上記の静止画像のコマ送り表示、動画像の早送り表示、及び動画像の巻戻し表示の処理を実行する。
【００９７】
ＲＯＭ５４は、コンピュータ５０の起動時に動作するブートプログラムなどが記憶されている不揮発性の記憶装置である。
【００９８】
ＲＡＭ５６は、ＣＰＵ５２の実行において使用されるプログラムや、その実行において適宜変化するパラメータ、コンピュータ５０の作動中に取得される各種のログデータを記憶する揮発性の記憶装置である。
【００９９】
表示部５８は、液晶表示装置またはＣＲＴ（Ｃａｔｈｏｄｅ Ｒａｙ Ｔｕｂｅ）などからなり、静止画像及び動画像を表示する。
【０１００】
入力デバイス６０は、静止画像の高速コマ送り表示指示、動画像の早送り表示指示、及び動画像の巻戻し表示の指示等、画像表示に関する指示が操作者の操作により入力するための装置である。
【０１０１】
通信部６２は、コンピュータ５０と直接又はネットワークを介して接続された外部装置との間のデータの送受信を行うものである。
【０１０２】
接続ポート６４は、ＵＳＢ、ＩＥＥＥ１３９４等の接続部を有し、コンピュータ５０に外部機器を接続するためのポートである。この接続ポート６４を介して、ＵＳＢメモリ等の記憶媒体６５をコンピュータ５０に接続することができる。
【０１０３】
読取装置６６は、光磁気ディスク、光ディスク、及び磁気ディスク等の記憶媒体６７が装着され、記憶媒体６７から記憶内容を読み取るものであり、光磁気ディスクの記憶内容を読み取るための光磁気ディスク装置、光ディスクの記憶内容を読み取るための光ディスク装置、及び磁気ディスクの記憶内容を読み取るための磁気ディスク装置等を用いることができる。
【０１０４】
ＨＤＤ６８は、オペレーティングシステム、及び上記の静止画像のコマ送り表示、動画像の早送り表示、及び動画像の巻戻し表示の処理を実行するためのプログラム、プログラムの実行に用いられるデータ、並びに通信部６２を介して外部装置と送受信されるデータ等が格納される不揮発性の記憶装置である。
【０１０５】
また、ＨＤＤ６８は、表示部５８に表示される静止画像及び動画像の画像ファイルを格納する。画像ファイルは、記憶媒体６５，６７に記憶され、接続ポート６４又は読取装置６６を介してコンピュータ５０に読み取られ、ＨＤＤ６８に格納されてもよい。また、画像ファイルは、外部装置から、通信部６２を介してコンピュータ５０に入力されて、ＨＤＤ６８に格納されてもよい。
【０１０６】
このように、プログラムがコンピュータ５０において実行されることによって、簡易な構成で、容易に上記の静止画像のコマ送り表示、動画像の早送り表示、及び動画像の巻戻し表示を行うことができる。
【図面の簡単な説明】
【０１０７】
【図１】本発明の実施形態に係るデジタルカメラの外観図である。
【図２】本発明の実施形態に係るデジタルカメラの構成を示すブロック図である。
【図３】第１の実施の形態に係る静止画像の表示処理のルーチンを示すフローチャートである。
【図４】第１の実施の形態に係る静止画像の高速コマ送り処理のルーチンを示すフローチャートである。
【図５】第１の実施の形態に係る静止画像の高速コマ送り処理停止時の第１のルーチンを示すフローチャートである。
【図６】第１の実施の形態に係る静止画像の第１の高速コマ処理の概念図である。
【図７】第１の実施の形態に係る静止画像の高速コマ送り処理停止時の第２のルーチンを示すフローチャートである。
【図８】第２の実施形態に係る画像表示装置であるコンピュータの構成を示すブロック図である。
【符号の説明】
【０１０８】
１０   デジタルカメラ
１８Ｄ 十字カーソルボタン
１８Ｅ 決定ボタン
２０   ＬＣＤ
２２   ＣＰＵ
４０   メモリ
５０   コンピュータ
【図１】
0004986791.tif 000002
【図２】
0004986791.tif 000003
【図３】
0004986791.tif 000004
【図４】
0004986791.tif 000005
【図５】
0004986791.tif 000006
【図６】
0004986791.tif 000007
【図７】
0004986791.tif 000008
【図８】
0004986791.tif 000009